(57)【特許請求の範囲】
【請求項１】
利用者を１回又は複数回撮影し、撮影画像を生成する撮影装置と、
動作モードの選択の受け付け、前記撮影画像の表示、前記撮影画像の選択の受け付け、及び顔の位置の指示の受け付けを行うタッチパネルと、
前記タッチパネルを介して受け付けた顔の位置に基づいて、選択された撮影画像から顔画像データを切り抜く画像処理部と、
前記顔画像データを印画物にプリントして出力するプリンタと、
動作モードと再撮影の許容回数との対応関係を規定したテーブルを記憶する記憶部と、
を備え、
前記テーブルを参照し、選択された動作モードに応じた許容回数を上限として、前記撮影装置による再撮影を行い、
前記テーブルは、動作モードと、撮影画像に要求される規格の厳密度との対応関係を規定し、
選択された動作モードの厳密度が所定値以上の場合、前記タッチパネルは、前記顔画像データを表示する画像再確認画面を表示し、顔画像の位置及びサイズの調整指示を受け付けることを特徴とする印画物作製装置。
【請求項２】
前記タッチパネルは、顔の位置の指示を受け付ける際の顔画像表示サイズよりも、前記画像再確認画面における顔画像表示サイズを大きくすることを特徴とする請求項１に記載の印画物作製装置。
【請求項３】
前記顔画像データを携帯端末へ転送する通信装置をさらに備えることを特徴とする請求項１又は２に記載の印画物作製装置。
【発明の詳細な説明】
【技術分野】
【０００１】
本発明は、顔画像が印画された印画物を作製する印画物作製装置に関する。
【背景技術】
【０００２】
免許証、パスポート、履歴書等に貼付するための証明写真等を撮影するボックス型の印画物作製装置が知られている。印画物作製装置は、人物を撮影し、撮影した画像をディスプレイにプレビュー表示する。利用者は、プレビュー表示された画像に満足しない場合、再撮影を行い、複数の撮影画像の中から最も気に入った画像を選択することができる。
【０００３】
また、利用者は、選択した画像の顔位置を上下左右に動かす等の位置調整を行うことができる。印画物作製装置は、位置調整された画像を印画紙にプリントし、用途に応じたサイズの写真を出力する。
【０００４】
証明写真は用途に応じて様々な規格が設定されている。例えば、免許証やパスポート等の身分証明書としての機能を持つものは、不適当な写真例が数多く挙げられており、厳しい規格が設定されている。利用者は、複数の撮影画像から規格を満たすような画像を選択し、位置調整を行う必要があった。
【先行技術文献】
【特許文献】
【０００５】
【特許文献１】特開２０００−６９４０２号公報
【発明の概要】
【発明が解決しようとする課題】
【０００６】
本発明は、上記従来の実状に鑑みてなされたものであり、撮影画像の用途に応じた操作を利用者に求めると共に、画像が所定の規格を満たすための操作を利用者が簡便に行うことができる印画物作製装置を提供することを課題とする。
【課題を解決するための手段】
【０００７】
本発明による印画物作製装置は、利用者を１回又は複数回撮影し、撮影画像を生成する撮影装置と、
動作モードの選択の受け付け、前記撮影画像の表示、前記撮影画像の選択の受け付け、及び顔の位置の指示の受け付けを行うタッチパネルと、前記タッチパネルを介して受け付けた顔の位置に基づいて、選択された撮影画像から顔画像データを切り抜く画像処理部と、前記顔画像データを印画物にプリントして出力するプリンタと、動作モードと再撮影の許容回数との対応関係を規定したテーブルを記憶する記憶部と、を備え、前記テーブルを参照し、選択された動作モードに応じた許容回数を上限として、前記撮影装置による再撮影を行うことを特徴とするものである。
【０００８】
本発明の一態様による印画物作製装置において、前記テーブルは、動作モードと、撮影画像に要求される規格の厳密度との対応関係を規定し、選択された動作モードの厳密度が所定値以上の場合、前記タッチパネルは、前記顔画像データを表示する画像再確認画面を表示し、顔画像の位置及びサイズの調整指示を受け付ける。
【０００９】
本発明の一態様による印画物作製装置において、前記タッチパネルは、顔の位置の指示を受け付ける際の顔画像表示サイズよりも、前記画像再確認画面における顔画像表示サイズを大きくする。
【００１０】
本発明の一態様による印画物作製装置は、前記顔画像データを携帯端末へ転送する通信装置をさらに備えてもよい。
【発明の効果】
【００１１】
本発明によれば、撮影画像の用途に応じた操作を利用者に求めると共に、画像が所定の規格を満たすための操作を利用者が簡便に行うことができる。
【図面の簡単な説明】
【００１２】
【図１】本発明の実施形態に係る印画物作製装置の概略構成図である。
【図２】演算制御装置の概略構成図である。
【図３】画像処理プログラムの実行により実現される機能ブロック図である。
【図４】同実施形態に係る印画物作製方法を説明するフローチャートである。
【図５】モード選択画面の例を示す図である。
【図６】（ａ）（ｂ）は顔画像選択画面の例を示す図である。
【図７】（ａ）（ｂ）は顔位置指示画面の例を示す図である。
【図８】（ａ）は顔画像の再確認画面の例を示す図であり、（ｂ）は顔画像微調整画面の例を示す図である。
【発明を実施するための形態】
【００１３】
以下、本発明の実施の形態を図面に基づいて説明する。
【００１４】
図１に、本発明の実施形態に係る印画物作製装置１の概略構成を示す。印画物作製装置１は、利用者Ｐの顔を撮影し、顔画像データを生成する撮影装置１１、この撮影画像データに対して画像処理を施す演算制御装置１０、利用者Ｐから各種指示を受け付けると共に、プレビュー画像や各種情報を表示するタッチパネル（指示受付部及び表示部）１２、音声案内等を出力するスピーカ１３、撮影装置１１が利用者Ｐを撮影する際に光を照射するストロボ１４、印画物（写真）をプリントするプリンタ１５等を備えた、ボックス型の撮影装置である。プリンタ１５のプリント方式は特に限定されず、インクジェット方式、昇華型熱転写方式、溶融型熱転写方式等を用いることができる。
【００１５】
また、印画物作製装置１は、利用者Ｐが所有するスマートフォン等の携帯端末（図示略）と通信を行うことができる通信装置１６を備えている。
【００１６】
印画物作製装置１には、利用者が支払う貨幣を受け入れたり、釣銭を払い出したりする課金部（図示せず）がさらに設けられている。また、印画物作製装置１に、電子マネーでの支払いを受け付ける課金部が設けられていてもよい。
【００１７】
撮影装置１１は、例えばデジタルカメラであり、レンズ、シャッタ、ＣＭＯＳセンサ、Ａ／Ｄ変換器等を有する。撮影装置１１が利用者Ｐを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。撮影装置１１は、撮影画像データを演算制御装置１０へ出力する。
【００１８】
タッチパネル１２は、操作ボタンを表示し、操作ボタンが押されると、その操作ボタンに対応した操作指示を受け付ける。例えば、タッチパネル１２は、利用者Ｐから、動作モードの選択指示を受け付ける。選択できる動作モードは、例えば、証明写真を撮影し、印画紙にプリントして出力するモード、証明写真を撮影し、撮影データを携帯端末へ転送するモード、撮影した画像をキャラクター画像やフレーム画像と合成したり、撮影した画像を用いて人相占いを行ったりするなどのアミューズメントモードである。また、証明写真の場合は、その用途（パスポート、マイナンバーが記載された個人番号カード、免許証、試験の受験票、履歴書等）の選択も含む。
【００１９】
タッチパネル１２は、利用者Ｐを撮影した複数の画像を表示し、画像の選択指示を受け付けることができる。また、タッチパネル１２は、撮影した画像を表示し、利用者Ｐから顔の位置の指示を受け付けることができる。
【００２０】
演算制御装置１０は、印画物作製装置１の各部の制御やデータの受け渡しを行う。図２に、演算制御装置１０のハードウェア構成を示す。演算制御装置１０は、ＣＰＵ（中央演算処理部）１０１、メインメモリ１０２、ディスク装置１０３、及び入出力部１０４を有する。演算制御装置１０の各部はバスを介して接続されている。
【００２１】
ディスク装置１０３は、例えばハードディスクドライブであり、ＣＰＵ１０１により実行される画像処理プログラム１０５、再撮影回数テーブル１０６、合成素材データ１０７等を格納する。
【００２２】
再撮影回数テーブル１０６は、選択されたモード（用途）毎に、撮影写真に要求される規格の厳密度と、再撮影の許容回数を規定している。再撮影回数テーブル１０６の例を以下の表１に示す。
【００２３】
【表１】
0006627448.tif 000002
【００２４】
この例では、厳密度の値が高い方が、撮影写真に要求される規格が厳しいものとなっている。また、再撮影回数テーブル１０６には、モードによって、顔画像の選択時や確認時に表示するチェック項目が規定されている。チェック項目は、例えば「顔が横向きになっていないか」「顔が左右に傾いていないか」「眼鏡レンズ面が反射していないか」などである。
【００２５】
合成素材データ１０７は、証明写真の背景として使用できる背景画像データ、アミューズメントモードで使用されるキャラクター画像データやフレーム画像データ等を含む。
【００２６】
ＣＰＵ１０１は、ディスク装置１０３内の画像処理プログラム１０５をメインメモリ１０２にロードして、画像処理プログラム１０５を実行する。
【００２７】
図３に、ＣＰＵ１０１が画像処理プログラム１０５を実行することで実現される機能ブロック図を示す。画像処理プログラム１０５の実行により、モード選択部１１１、撮影処理部１１２、画像処理部１１３、通信処理部１１４、及びプリント処理部１１５が実現される。
【００２８】
モード選択部１１１は、印画物作製装置１が提供する複数のモード（サービス）をタッチパネル１２に表示し、利用者Ｐからモードの選択を受け付ける。
【００２９】
撮影処理部１１２は、撮影装置１１を制御して、利用者Ｐの撮影を行う。
【００３０】
画像処理部１１３は、撮影装置１１により生成された撮影画像データから、選択されたモードに適したサイズとなるように顔画像データの切り抜きを行う。画像処理部１１３は、被撮影者（利用者Ｐ）の目瞑り、口の開き等を検出し、必要に応じて撮り直しを行い、証明写真に適した顔画像を生成してもよい。また、画像処理部１１３は、撮影した画像に合成素材を合成し、合成画像を作成する。
【００３１】
通信処理部１１４は、通信装置１６を介して、画像データを利用者Ｐが所有する携帯端末へ送信する。
【００３２】
プリント処理部１１５は、プリンタ１５を制御し、撮影した画像や合成画像を印画紙にプリントして出力する。
【００３３】
図４は、利用者Ｐが印画物作製装置１を用いて撮影を行い、画像の出力を行う方法を説明するフローチャートである。
【００３４】
利用者Ｐが、印画物作製装置１の筐体内に進入すると、モード選択部１１１はタッチパネル１２にモード選択画面を表示する（ステップＳ１０１）。例えば、タッチパネル１２に、図５に示すようなサービス選択画面２００が表示される。サービス選択画面２００は、証明写真を印画紙に出力するモードの開始ボタン２０１、証明写真をデジタルデータ形式でスマートフォン等の携帯端末に転送するモードの開始ボタン２０２、及びアミューズメントモードの開始ボタン２０３を含む。
【００３５】
開始ボタン２０１又は２０２が押されると、証明写真の用途の選択画面が表示される。利用者Ｐは、パスポート、個人番号カード、免許証、履歴書、受験票等から用途を選択する。開始ボタン２０３が押されると、フレームを付けた写真の撮影や人相占いなどのプレイモードの選択画面が表示される。利用者Ｐは、所望するモードを選択する。
【００３６】
モード選択が完了すると、タッチパネル１２に課金画面が表示され、課金部が利用者Ｐからの入金を受け付けて課金処理を行う（ステップＳ１０２）。
【００３７】
撮影装置１１が利用者Ｐを撮影する（ステップＳ１０３）。１回の撮影ステップで、１回の撮影を行ってもよく、複数回連続して行ってもよい。本実施形態では撮影を２回連続して行う例について説明する。
【００３８】
画像処理部１１３が、タッチパネル１２に図６（ａ）に示すような顔画像確認画面２４０を表示し、撮影した顔画像を利用者Ｐが確認できるようにする（ステップＳ１０４）。顔画像確認画面２４０は、小プレビュー領域２４１、２４２、大プレビュー領域２４３、決定ボタン２４４、撮り直しボタン２４５等を含む。
【００３９】
小プレビュー領域２４１、２４２には、ステップＳ１０３で撮影した撮影画像データがプレビュー表示される。ステップＳ１０３では２回の撮影を行っているため、２つの小プレビュー領域２４１、２４２が設けられる。利用者Ｐが小プレビュー領域２４１又は２４２を選択すると、選択された画像が大プレビュー領域２４３に大きく表示される。
【００４０】
画像処理部１１３は、再撮影回数テーブル１０６を参照し、選択されたモードにおいて再撮影できる回数を確認し、再撮影回数表示領域２４９にあと何回撮り直しができるかを表示する。また、画像処理部１１３は、選択されたモードに応じた写真のチェック項目をチェック項目表示領域２４８に表示する。
【００４１】
利用者Ｐは、撮り直しを希望する場合、撮り直しボタン２４５を押す（ステップＳ１０５＿Ｙｅｓ）。これにより、再撮影できる残り回数Ｎが１減少する（ステップＳ１０６）。利用者Ｐの再撮影が行われ、タッチパネル１２には、図６（ｂ）に示すような顔画像確認画面２４０が表示される。この顔画像確認画面２４０は、初回撮影の画像を表示する小プレビュー領域２４１、２４２と、再撮影の画像を表示する小プレビュー領域２４６、２４７を含む。
【００４２】
再撮影できる残り回数Ｎが０になると、撮り直しボタン２４５は表示されなくなる。
【００４３】
利用者Ｐは、チェック項目表示領域２４８のチェック項目を参考に画像を選択する。利用者Ｐは、大プレビュー領域２４３に表示されている画像に決定した場合（ステップＳ１０５＿Ｎｏ）、決定ボタン２４４を押す（ステップＳ１０７）。
【００４４】
続いて、画像処理部１１３が、用途に適したサイズとなるように顔画像データの切り抜き処理を行う。画像処理部１１３は、顔画像データの切り抜きにあたり、利用者Ｐから、撮影画像における顔位置の指示を受け付ける（ステップＳ１０８）。
【００４５】
例えば、画像処理部１１３は、タッチパネル１２に、図７（ａ）に示すような上下位置指示画面２５０を表示する。上下位置指示画面２５０は、顔画像表示領域２５１、頭頂ライン２５２、顎ライン２５３、頭頂ライン上昇ボタン２５４、頭頂ライン下降ボタン２５５、顎ライン上昇ボタン２５６、顎ライン下降ボタン２５７、決定ボタン２５８等を含む。
【００４６】
利用者Ｐは、頭頂ライン上昇ボタン２５４及び頭頂ライン下降ボタン２５５を押して、頭頂ライン２５２を上下させ、顔画像表示領域２５１に表示されている自身の顔画像の頭頂に頭頂ライン２５２を合わせる。また、利用者Ｐは、顎ライン上昇ボタン２５６及び顎ライン下降ボタン２５７を押して、顎ライン２５３を上下させ、顔画像表示領域２５１に表示されている自身の顔画像の顎の先端に顎ライン２５３を合わせる。これにより、顔の上下位置が指定される。
【００４７】
決定ボタン２５８が押されると、画像処理部１１３は、タッチパネル１２に、図７（ｂ）に示すような中心位置指示画面２６０を表示する。中心位置指示画面２６０は、顔画像表示領域２６１、中心ライン２６２、左移動ボタン２６３、右移動ボタン２６４、決定ボタン２６５等を含む。
【００４８】
利用者Ｐは、左移動ボタン２６３及び右移動ボタン２６４を押して、中心ライン２６２を左右に移動させ、顔画像表示領域２６１に表示されている自身の顔画像の中心に中心ライン２６２を合わせる。これにより、顔の中心位置が指定される。
【００４９】
画像処理部１１３は、このようにして利用者Ｐから指定された顔位置に基づいて、顔画像データの切り抜き処理を行う。
【００５０】
背景画像の合成を含むモードである場合は、顔位置の指定後に複数の背景画像候補がタッチパネル１２に表示され、利用者Ｐは好みの背景画像を選択する。画像処理部１１３は、選択された背景画像と顔画像データとを合成して合成画像を作成し、タッチパネル１２にプレビュー表示する。
【００５１】
キャラクター画像やフレーム画像と合成するアミューズメントモードである場合、画像処理部１１３は、キャラクター画像やフレーム画像と顔画像データとを合成して合成画像を作成し、タッチパネル１２にプレビュー表示する。
【００５２】
次に、画像処理部１１３は、再撮影回数テーブル１０６を参照し、選択されたモードに対応する厳密度を確認する。厳密度が所定値以上の高い値である場合は（ステップＳ１０９＿Ｙｅｓ）、ステップＳ１１０へ進む。厳密度が所定値未満の低い値である場合は（ステップＳ１０９＿Ｎｏ）、ステップＳ１１４へ進む。
【００５３】
厳密度が高い場合、撮影写真に要求される規格が厳しいため、タッチパネル１２に、図８（ａ）に示すような顔画像再確認画面３００を表示する（ステップＳ１１０）。顔画像再確認画面３００は、顔画像表示領域３０１、微調整指示ボタン３０２、決定ボタン３０３、撮り直しボタン３０４、チェック項目表示領域３０８、チェックボックス３０９等を含む。
【００５４】
画像処理部１１３は、選択されたモードに応じた写真のチェック項目をチェック項目表示領域３０８に表示する。
【００５５】
顔画像表示領域３０１は、切り抜き処理後の顔画像と共に、頭頂ライン３０５、顎ライン３０６、及び中心ライン３０７を表示する。頭頂ライン３０５、顎ライン３０６、及び中心ライン３０７は、それぞれ頭頂、顎の先端、顔の中心が位置すべき場所に表示され、利用者Ｐは、表示されている顔画像が、頭頂ライン３０５、顎ライン３０６、及び中心ライン３０７に正確に合っているか否か確認する。
【００５６】
顔画像再確認画面３００の顔画像表示領域３０１のサイズは、上下位置指示画面２５０の顔画像表示領域２５１や、中心位置指示画面２６０の顔画像表示領域２６１のサイズより大きいことが好ましい。これにより、頭頂、顎の先端、顔の中心の位置や、顔の傾き等を詳細に確認することができる。
【００５７】
頭頂、顎の先端、又は顔の中心の位置がずれている場合、利用者Ｐが微調整指示ボタン３０２を押すと（ステップＳ１１１＿Ｙｅｓ）、タッチパネル１２に、図８（ｂ）に示すような顔画像微調整画面３１０が表示される。顔画像微調整画面３１０は、顔画像表示領域３１１、拡大ボタン３１２、縮小ボタン３１３、移動ボタン３１４、決定ボタン３１５等を含む。
【００５８】
利用者Ｐは、拡大ボタン３１２又は縮小ボタン３１３を押して顔画像のサイズを拡縮し、移動ボタン３１４を押して顔画像の位置を上下左右に移動して、顔画像を頭頂ライン３１６、顎ライン３１７、及び中心ライン３１８に合わせる（ステップＳ１１２）。
【００５９】
顔画像微調整画面３１０での微調整で顔画像を所定位置に合わせられない場合は、顔画像再確認画面３００の撮り直しボタン３０４を押すことで、ステップＳ１０３に戻り、再撮影を行うことができる。
【００６０】
利用者Ｐは、表示されている顔画像が、チェック項目表示領域３０８に表示された全てのチェック項目を満たしているか確認し、確認後、チェックボックス３０９にチェックを入れる（ステップＳ１１２＿Ｎｏ、ステップＳ１１３）。チェックボックス３０９にチェックがついたら、決定ボタン３０３が有効になり（活性化し）、利用者Ｐが決定ボタン３０３を押す。
【００６１】
印画物作製装置１が、顔画像又は合成画像を出力する（ステップＳ１１４）。出力形式は選択されたモードによって異なり、例えば、プリント処理部１１５がプリンタ１５を制御して、画像を印画紙にプリントして出力する。または、通信処理部１１４が、通信装置１６を用いて、利用者Ｐが所有する携帯端末等へ画像データを転送する。
【００６２】
このように、本実施形態に係る印画物作製装置１は、モード（写真の用途）によって、再撮影の許容回数を変える。写真に要求される規格が厳しい場合は、再撮影の許容回数を多くすることで、規格を満たす写真を撮影することができる。また、顔位置の指定後に、利用者Ｐに顔画像の再確認を課す。再確認時に必要に応じて顔のサイズや位置を微調整することで、厳格な規格を満たす顔写真を作成して出力することができる。
【００６３】
一方、要求される規格が厳しくない場合は、再撮影の許容回数を少なくする。また、顔画像の再確認ステップは省略する。これにより、利用者Ｐの操作は簡便となり、かつ、顧客の回転率を向上させることができる。
【００６４】
顔画像微調整画面３１０では、上下左右の移動、サイズの拡縮に加えて、画像の回転が行えるようにしてもよい。これにより顔の傾きを修正できる。但し、回転を行う場合は、背景を含む画像データを予め大きめに作成しておき、回転した際に画素値の無い領域が現れないようにする。
【００６５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６６】
１  印画物作製装置
１０  演算制御装置
１１  撮影装置
１２  タッチパネル
１３  スピーカ
１４  ストロボ
１５  プリンタ
１６  通信装置
【図１】
0006627448.tif 000003
【図２】
0006627448.tif 000004
【図３】
0006627448.tif 000005
【図４】
0006627448.tif 000006
【図５】
0006627448.tif 000007
【図６】
0006627448.tif 000008
【図７】
0006627448.tif 000009
【図８】
0006627448.tif 000010